(57)【要約】  【課題】  画像を表示する液晶パネルに指が置かれた際に、指で隠されない位置に画像表示領域を変更可能とする画像表示装置を提供する。  【解決手段】  画像を表示させる液晶パネル１８の画像表示面に接触した指の位置を検出するタッチパネル２０と、そのタッチパネル２０で検出した指の接触位置に応じて、液晶パネル１８の画像表示面に接触している指の位置に掛からない画像表示領域を設定する表示領域設定手段を有するマイコン１６を備えた画像表示装置。  【選択図】  図１
2005234993.tif 000002
【特許請求の範囲】
【請求項１】
静止画像もしくは動画像を表示させる表示手段と、
その表示手段の画像表示面に表示されている画像を覆うように接触した物体の位置を検出する位置検出手段と、
その位置検出手段により検出された物体の接触位置に応じて、前記表示手段の画像表示面に表示させる画像の表示領域を設定する表示領域設定手段と、
を具備することを特徴とした画像表示装置。
【請求項２】
静止画像もしくは動画像を表示させる表示手段と、
その表示手段の画像表示面に表示させる画像の表示領域の終点位置を前記画像表示面上で指示する画像表示領域指示手段と、
この画像表示領域指示手段により指示された前記表示手段の画像表示面の画像の表示領域終点位置を検出する位置検出手段と、
その位置検出手段により検出された画像の表示領域終点位置に応じて、前記表示手段の画像表示面に表示させる画像の表示領域を設定する表示領域設定手段と、
を具備することを特徴とした画像表示装置。
【請求項３】
前記表示領域設定手段により設定された前記表示手段の画像表示面の画像の表示領域以外の表示領域に各種操作メニューのアイコン、あるいは操作情報等を表示させることを特徴とした請求項１または２のいずれかに記載の画像表示装置。
【請求項４】
静止画像もしくは動画像を表示させる表示手段に表示されている画像を覆うように接触している物体の接触位置を検出し、その検出した接触位置に応じて前記表示手段に表示されている画像が前記接触位置に掛からないように画像表示領域を設定させることを特徴とした画像表示方法。
【発明の詳細な説明】
【技術分野】
【０００１】
本発明は、静止画像もしくは動画像が表示可能な液晶表示パネル等の表示面の画像表示領域を自由に設定可能な画像表示装置、及び画像表示方法に関する。
【背景技術】
【０００２】
近年、静止画像及び動画像が表示可能な液晶表示パネルを用いたデジタルカメラ、携帯情報端末装置（ＰＤＡ）、及び携帯型画像ビューワ等の携帯型の画像表示装置がある。この画像表示装置は、小型化される傾向にあり、かつ、この画像表示装置は、表示画像の視認性を向上させるために画像表示面の大きい液晶表示パネルが用いられるようになっている。
【０００３】
しかし、従来の画像表示装置、例えば、デジタルカメラを例にすると、デジタルカメラの上面には、シャッタボタン、及びズームボタン等が配置され、背面には、撮像画像を表示する液晶表示パネルと共に、各種撮像操作機能を選択設定するための操作モードキーが配置されている。このためデジタルカメラの背面に設けられる液晶表示パネルの大きさは操作モードキーとの関係により設定される。
【０００４】
このような事情から背面にタッチパネル付きの液晶表示パネルを配置して、そのタッチパネルに操作モードキーを設けることで、画像を表示させる液晶表示パネルを大きくすることも行われている。このタッチパネル付き液晶表示パネルを用い、そのタッチパネルにある種の操作モードの選択機能を設けたデジタルカメラは、例えば、特許文献１に提案されている。
【０００５】
この特許文献１に提案されているデジタルカメラは、背面に設けたタッチパネル付き液晶表示パネルのタッチパネル面を指でなぞり、そのなぞった際のパターンを認識して液晶表示パネルに表示されている撮像画像の画像送り・戻し、削除、表示されている画像の拡大・縮小、及びサムネール表示等の表示モードの変更設定を可能として、操作モードキーの最小化を図っている。
【０００６】
このように、タッチパネル付き液晶表示パネルを設け、このタッチパネルに従来のカメラの背面に設けられている各種操作キー機能を持たせることにより、図１０に示すように、デジタルカメラの背面全面に液晶表示パネルを配置させることができる。つまり、デジタルカメラ（以下、単にカメラと称する）１０は、上面にシャッターボタン２１が設けられ、前面に図示していないが光学レンズ、測光と測距機能、及びストロボ等が設けられ、背面の全面に撮像画像３０を表示する液晶表示パネル１８とその液晶表示パネル１８の表面に設けられたタッチパネル２０が設けられている。なお、このカメラ１０の内部には、光学レンズからの被写体を撮像する固体撮像素子、その固体撮像素子で撮像生成された撮像画像信号に所定の信号処理を施して、前記液晶表示パネル１８に画像表示したり、記憶媒体に記憶させたりするデジタルカメラ機能が内蔵されている。
【０００７】
このように、カメラ１０の背面の全面にタッチパネル２０を有する画像表示面の大きい液晶表示パネル１８を設けることにより表示画像の視認性を向上させ、かつ、各種操作モードの設定はタッチパネル２０に接触することで選択設定が可能となる。
【特許文献１】特開２００３−３３８９７５号公報。
【発明の開示】
【発明が解決しようとする課題】
【０００８】
前述したように、撮像画像の視認性を向上させるために、カメラ１０の背面全面のほとんどの面積を占める液晶表示パネル１８を設けたカメラ１０を用いて撮像を行う際には、ユーザは、図１１に示すように、例えば、右手５５ａのみでカメラ１０を保持して撮像する場合と、右手５５ａと左手５５ｂの両手でカメラ１０を保持して撮像する場合とがある。
【０００９】
図１１（ｂ）に示すように、左右両手５５ａ，５５ｂによりカメラ１０を保持する場合には、右手５５ａの人差し指は、シャッタボタン２１の上に置き、それ以外の左右両手５５ａ，５５ｂの指は、カメラの両側面に沿ってカメラの上下面を保持する。このために、カメラ１０の背面の液晶表示パネル１８に表示される撮像画像３０の全表示領域が視認できる。
【００１０】
しかし、図１１（ａ）に示すように、右手５５ａのみでカメラ１０を保持する場合は、右手５５ａの人差し指は、シャッタボタン２１の上に置き、親指は液晶表示パネル１８の画像表示面上に置き、かつ、中指、薬指、及び小指は図示していないがカメラ１０の前面側に置いて、親指、並びに中指、薬指、及び小指によりカメラ１０を挟み保持する。このために、カメラ１０の背面の液晶表示パネル１８に親指が置かれるために、表示される撮像画像３０の一部が親指に隠される。
【００１１】
つまり、カメラ１０の背面全域にタッチパネル付き液晶表示パネル１８を配置させて、表示させる撮像画像の視認性向上と、カメラ全体の形状の小型化を図ると、撮像操作の際の両手による操作が煩わしくなり、片手による撮像操作が多用される。この片手による撮像操作を行うと、親指が液晶表示パネル１８の画像表示面に置かれるために、表示され撮像画像の一部を親指が隠してしまい、画像の視認性が劣化する課題がある。
【００１２】
本発明は、このような事情に鑑み、片手により画像表示装置を保持した際に、画像を表示する液晶表示パネルの上に置かれた指により画像が隠されない位置に画像表示領域を設定可能とする画像表示装置を提供することを目的としている。
【課題を解決するための手段】
【００１３】
本発明の画像表示装置は、静止画像もしくは動画像を表示させる表示手段と、その表示手段の画像表示面に表示されている画像を覆うように接触した物体の位置を検出する位置検出手段と、その位置検出手段により検出された物体の接触位置に応じて、前記表示手段の画像表示面に表示させる画像の表示領域を設定する表示領域設定手段と、を具備することを特徴としている。
【００１４】
本発明の画像表示装置は、静止画像もしくは動画像を表示させる表示手段と、その表示手段の画像表示面に表示させる画像の表示領域の終点位置を前記画像表示面上で指示する画像表示領域指示手段と、この画像表示領域指示手段により指示された前記表示手段の画像表示面の画像の表示領域終点位置を検出する位置検出手段と、その位置検出手段により検出された画像の表示領域終点位置に応じて、前記表示手段の画像表示面に表示させる画像の表示領域を設定する表示領域設定手段と、を具備することを特徴としている。
【００１５】
本発明の画像表示装置は、前記表示領域設定手段により設定された前記表示手段の画像表示面の画像の表示領域以外の表示領域に各種操作メニューのアイコン、あるいは操作情報等を表示させることを特徴としている。
【００１６】
また、本発明の画像表示方法は、静止画像もしくは動画像を表示させる表示手段に表示されている画像を覆うように接触している物体の接触位置を検出し、その検出した接触位置に応じて前記表示手段に表示されている画像が前記接触位置に掛からないように画像表示領域を設定させることを特徴としている。
【発明の効果】
【００１７】
本発明の画像表示装置、及び画像表示方法は、画像の表示面に表示させる画像表示領域を設定することができるために、画像表示装置の使用形態に応じた画像表示領域を設定して表示画像の視認性と、操作の利便性が向上する効果を有している。
【発明を実施するための最良の形態】
【００１８】
以下、図面を参照して本発明の実施の形態について詳細に説明する。本発明に係る画像表示装置は、例えば、デジタルカメラ、携帯情報端末装置（ＰＤＡ）、及び携帯型画像ビューワ等の小型で携帯可能な装置である。本発明の画像表示装置の一実施形態をデジタルカメラの例を用いて説明する。図１は本発明の画像表示装置の一実施形態であるデジタルカメラの構成を示すブロック図である。
【００１９】
このデジタルカメラ（以下、単にカメラと称する）１０は、図示していない光学レンズからの被写体像が結像され、その結像された被写体像を光電変換して撮像信号を生成する固体撮像素子１１、この固体撮像素子１１により生成された撮像信号を増幅及び濾波等の処理を行う前処理部１２、この前処理部１２からの撮像信号をデジタル信号に変換するアナログ／デジタル変換器（以下、単にＡ／Ｄ変換器と称する）１３、このＡ／Ｄ変換器１３からのデジタル信号に対して、所定の信号処理を施して画像データを生成する処理部１４、この処理部１４の駆動を制御すると共に、後述する各種制御を行うマイコン１６、前記処理部１４において生成された画像データを一時記憶するメモリー１５、前記マイコン１６の制御によりメモリ１５に一時記憶されている画像データを書き込む記憶するメディア１７、前記処理部１５により生成された画像データを基に撮像画像を表示させる液晶表示パネル（以下、単にＬＣＤと称する）１８、前記処理部１４に対して、固体撮像素子１１による被写体撮像指示等のシャッターボタン、光学レンズのズームボタン、及び電源スイッチ等の動作指示用のボタン類１９、及び前記ＬＣＤ１８の画像表示面に設けられたタッチパネル２０から構成されている。
【００２０】
前記マイコン１６は、処理部１４の駆動を制御する制御プログラムを格納するＲＯＭ１６ａと、及び作業エリアとして使用されるＲＡＭ１６ｂとを有している。このマイコン１６は、前記ボタン類１９及びタッチパネル２０を介して入力されたユーザの指示に応じて、処理部１４の駆動を制御する。つまり、ボタン類１９の電源スイッチがオンされると、固体撮像素子１１を駆動させて被写体像の撮像が行われ、その撮像信号が前処理部１２において前処理され、Ａ／Ｄ変換器１３においてデジタル撮像信号に変換される。このデジタル撮像信号は、マイコン１６の制御の基で、処理部１４において所定の信号処理が施されてデジタル画像データが生成される。このデジタル画像データは、メモリー１５に一時記憶されると共に、マイコン１６の制御の基でメモリー１５から読み出されて、ＬＣＤ１８に撮像画像として表示されたり、あるいは、そのデジタル画像データをメディア１７に書き込み記憶される。つまり、ＬＣＤ１８は、固体撮像素子１１乃至処理部１４において撮像及び信号処理された静止画像、あるいは動画像を表示する表示手段である。
【００２１】
前記メディア１７は、カメラ１０に着脱自在に装着され、前記デジタル画像データの書込及び読み出しが可能な半導体メモリである。また、前記タッチパネル２０は、ＬＣＤ１８の画像表示面に設けられ、そのタッチパネル２０に接触されたユーザの指、あるいは物体の接触位置（座標）を検出し、その検出位置データを前記マイコン１６に出力する。このタッチパネル２０の接触位置の検出機能を用いて、タッチパネル２０の特定の位置のＬＣＤ１８にカメラ１０の撮像操作に必要な各種操作モードを示すアイコンを表示させ、そのアイコンに接触することでタッチパネル２０による操作モードの選択設定が可能となるようになっている。つまり、タッチパネル２０は、タッチパネル面に接触した物体の接触位置を検出する位置検出手段である。
【００２２】
このような構成の本発明に係る画像表示装置のカメラ１０は、図２に示すように、カメラ１０の背面の全面にＬＣＤ１８が設けられて、ＬＣＤ１８に表示される画像の視認性が向上するようになっている。このカメラ１０を片手により保持して撮像する際には、前述したように、例えば、右手５５ａの親指がＬＣＤ１８の画像表示面３１に置かれる。
【００２３】
そこで、本発明のカメラ１０は、ＬＣＤ１８の画像表示面３１に置かれたユーザの右手５５ａの親指の位置をＬＣＤ１８の画像表示面３１に設けられたタッチパネル２０により検出し、その親指の置かれた位置を避けてＬＣＤ１８の画像表示面３１に撮像画像を縮小表示させる画像表示領域３１ａを設定する。これにより、ＬＣＤ１８の画像表示面３１の画像表示領域３１ａに表示される画像は縮小されるが、指で画像の一部が隠されることなく、画像全体を視認することができるようになる。
【００２４】
このカメラ１０に設けられたタッチパネル２０による指の位置検出と、ＬＣＤ１８の画像表示領域３１ａの設定動作について、図３乃至図５を用いて説明する。図３は、タッチパネル２０が設けられたＬＣＤ１８に指が接触し、その指の接触位置とＬＣＤ１８の画像表示面３１の画像表示領域３１ａを示している。例えば、ＬＣＤ１８の画像表示面３１の横軸をＸ、縦軸をＹとし、画像表示面３１の図中左上隅が画像表示領域３１ａの始点座標０、０とすると、指の接触位置の接点座標Ｘ、Ｙが画像表示領域３１ａの接線上になるように表示領域の設定を行う。
【００２５】
このタッチパネル２０による指の接触位置検出と、ＬＣＤ１８の表示領域設定処理の動作について、図４と図５のフローチャートを用いて説明する。この図４と図５は、本発明の画像表示装置であるカメラ１０のマイコン１６によるＬＣＤ１８の画像表示領域の設定処理動作を説明するフローチャートである。
【００２６】
このカメラ１０の図示していない電源スイッチがオンされて撮像が可能状態となると、マイコン１６は、最初にユーザの指の接触検出動作を実行する。マイコン１６はステップＳ１において、処理部１４を介して、タッチパネル２０に対してユーザの指が接触している位置座標の検出を行わせる。次に、このステップＳ１の接触位置座標の検出から所定時間経過後に、再度接触位置座標を検出して、ステップＳ１により検出した前回検出の接触位置座標と比較を行う。所定時間経過後の接触位置座標と前回検出した接触位置座標とが同じであるか、検出位置座標の連続性をステップＳ２においてチェックする。
【００２７】
このステップＳ２において、前回検出された接触位置座標と、所定時間間隔後に検出した接触位置座標が同じであると位置検出カウンタをカウントアップする。前回の検出位置座標と所定時間後に検出した接触位置座標が異なると位置検出カウンタを零クリアして、再度タッチパネル１８による接触位置座標の検出を繰り返す。
【００２８】
次に、マイコン１６はステップＳ３において、前記ステップＳ１とＳ２により所定時間間隔で検出された接触位置座標が同じであることが所定回数連続されたか判定する。すなわち、ユーザの指がタッチパネル２０に所定時間継続して接触しているかの判定を前記位置検出カウンタのカウントアップ数が所定の値を越えたかにより判定する。このステップＳ３の判定の結果、位置検出カウンタのカウントアップ数が所定の値を超えていないと判定されると、ユーザの指がタッチパネル２０、つまりＬＣＤ１８の画像表示面に接触していないと判定されて、この指接触位置検出動作を終了して通常の撮像モードの処理に進行する。
【００２９】
前記ステップＳ３において、位置検出カウンタのカウントアップ数が所定の値を越えたと判定されると、つまり、タッチパネル２０に所定時間連続して指が接触されていると判定されると、マイコン１６はステップＳ４において、前記位置検出カウンタを零クリアし、次に、ステップＳ５において、再度タッチパネル２０にユーザの指が接触していて、継続して位置座標が検出されているか判定する。このステップＳ５の判定の結果、継続してタッチパネル２０に接触していて、接触位置座標が検出されていると判定されると、マイコン１８はステップＳ７において、ＬＣＤ１８の画像表示面３１に表示させる画像表示領域３１ａを設定し、その画像表示領域３１ａに撮像画像を表示させる。また、前記ステップＳ５において、タッチパネル２０による接触位置座標が検出されないと判定されると、ステップＳ６において、ＬＣＤ１８の画像表示面３１の全領域に撮像画像を表示させる状態に戻す。このステップＳ６とＳ７のＬＣＤ１８の画像表示面３１の画像表示領域３１ａの設定処理が終了すると、通常の撮像動作に移行する。
【００３０】
つまり、ユーザの指がＬＣＤ１８の画像表示面３１に覆い接触している間は、ＬＣＤ１８の画像表示面３１の指の接触位置を避けて画像表示領域３１ａを設定し、その画像表示領域３１ａに撮像画像を表示させる。また、ユーザの指が前記ＬＣＤ１８の画像表示面３１から離れて覆い接触してない状態となるとＬＣＤ１８の画像表示面３１の全域に撮像画像を表示させる。
【００３１】
次に、前記ステップＳ７の画像表示領域の設定処理について、図５を用いて説明する。前記ステップＳ７は、画像表示領域設定手段であり、マイコン１６はステップＳ１１において、図３に示すように、タッチパネル１８が検出した指の接触点座標Ｘ，Ｙを比較する。このステップＳ１１の接触点座標の比較は、例えば、ＬＣＤ１８の画像表示面３１が横縦比４：３の場合、検出された横軸座標Ｘは、縦軸座標Ｙ×４／３よりも大きい（Ｘ＞Ｙ×４／３）か判定される。
【００３２】
このステップＳ１１の判定の結果、検出された横軸座標Ｘが縦軸座標Ｙ×４／３よりも大きい（Ｘ＞Ｙ×４／３）と判定されると、ステップＳ１２において、図３に示すＬＣＤ１８の画像表示画面３１の画像表示領域３１ａの表示終了座標の横軸座標Ｘｄｉｓｐ＝Ｘ、縦軸座標Ｙｄｉｓｐ＝Ｘ×３／４に設定して、画像表示面３１に表示させる画像表示領域３１ａを設定する。
【００３３】
また、前記ステップＳ１１の判定の結果、検出された横軸座標Ｘが縦軸座標Ｙ×４／３よりも小さい（Ｘ＜Ｙ×４／３）と判定されると、ステップＳ１３において、図３に示すＬＣＤ１８の画像表示画面３１の画像表示面３１の表示終了座標の横軸座標Ｘｄｉｓｐ＝Ｙ×４／３、縦軸座標Ｙｄｉｓｐ＝Ｙに設定して、画像表示面３１に表示させる画像表示領域３１ａを設定する。
【００３４】
これにより、カメラ１０のマイコン１６は、タッチパネル２０に接触した指の位置座標を自動的に検出し、その自動検出した指の接触位置座標を基に、ＬＣＤ１８の画像表示面３１に接触している指の座標位置に接する内側の部分に画像表示領域３１ａを設定し、その画像表示領域３１ａに撮像画像を表示させる。つまり、指により撮像画像が隠されることなく、撮像画像が表示され画像全体の視認性が向上する。
【００３５】
上記説明では、カメラ１０のタッチパネル２０にユーザーの指が接触された場合に、自動的にその指の接触位置を検出し、その指により表示される撮像画像が隠されないように、ＬＣＤ１８に表示させる撮像画像の画像表示領域を自動的に設定するようにしているが、この自動的なＬＣＤ１８の画像表示領域の設定以外に、カメラ１０の各種撮像モードや操作モードの設定時にＬＣＤ１８の画像表示領域を設定させる手動設定も可能である。
【００３６】
このＬＣＤ１８の画像表示領域の手動設定は、図６に示すように、カメラ１０に内蔵されている各種操作モードの設定メニューからＬＣＤ１８に画像表示領域選択メニュー画面を表示させ、そのＬＣＤ１８に表示された画像表示領域選択メニュー画面に対して、画像表示領域の表示終了位置を、例えば、ポインタペン２７により接触する。このポインタペン２７が接触した表示終了位置を図４を用いて説明したと同様に位置座標検出して、その位置座標から図５を用いて説明したと同様にＬＣＤ１８の画像表示領域３１ａの設定を行う。
【００３７】
また、前記カメラ１０を片手で保持して撮像する際に、カメラ１０の保持は右手とは限らず、左手で保持して撮像することもある。そのために、図７に示すように、ＬＣＤ１８の画像表示面３１の左上に設定した画像表示領域３１ａ、右上に設定した画像表示領域３１ｂ、左下に設定した画像表示領域３１ｃ、及び右下に設定した画像表示領域３１ｄとすることもできる。この画像表示領域３１ａ〜３１ｄの設定は、前述したように、タッチパネル２０に接触した位置座標は、ＬＣＤ１８の画像表示面３１の表示終了座標であるから、タッチパネル２０により検出された接触位置の座標の対角の位置座標が画像表示領域３１ａの始点座標とする。従って、タッチパネル２０への接触位置座標が右下位置であると、図７（ａ）のように左上に表示される画像表示領域３１ａ、接触位置座標がタッチパネル２０の左下位置であると、図７（ｂ）のように右上に表示される画像表示領域３１ｂ、接触位置座標がタッチパネル２０の右上位置であると、図７（ｃ）のように左下に表示される画像表示領域３１ｃ、及び接触位置座標がタッチパネル２０の左上位置であると、図７（ｄ）のように画像表示領域３１ｄに設定できるようにマイコン１６において制御させる。
【００３８】
さらに、マイコン１６には、前記ＬＣＤ１８の画像表示面３１に表示される撮像画面を、例えば、画像表示領域３１ａに変更させた際に、前記ＬＣＤ１８の画像表示面３１の画像表示領域３１ａ以外の領域に、図８に示すように、この画像表示領域３１ａに表示させる撮像画像のデジタル画像データをメディア１７から順次読み出し指示する矢印キー、あるいは、記憶継続の指示を行うＯＫキー等の操作メニュー用のアイコンを表示させる。
【００３９】
あるいは、カメラ１０は、一般に右手人差し指で操作しやすい位置にシャッターボタン２１が設けられている。このために、左手でカメラ１０を保持して片手による撮像は行いにくい。このような場合に、例えば、ＬＣＤ１８の画像表示面３１に、図７（ｂ）または図７（ｄ）に示す画像表示領域３１ｂ，３１ｄを設定し、その画像表示領域３１ｂ，３１ｄ以外の部分で左手で操作しやすい位置にシャッターボタンアイコンを表示させて、そのシャッターボタンアイコンを左手の指により触れることでタッチパネル２０がそのシャッターボタンアイコンの操作を検知して、マイコン１６からの制御によりシャッター動作させる。これにより、左手でカメラ１０を保持しての撮像が可能となりカメラ１０の利便性が向上する。
【００４０】
また、前述したように、カメラ１０のＬＣＤ１８の画像表示面３１にユーザの指が触れた際に、その指の接触位置をタッチパネル２０により自動検出して、かつ、ＬＣＤ１０の画像表示面３１に画像表示領域３１ａ〜３１ｄを自動設定させる自動モードと、ポインタペン２７等を用いて、ＬＣＤ１８の画像表示面３１に画像領域３１ａ〜３１ｄを手動設定させるための手動モードの設定は、ボタン類１９からマイコン１６に指示入力して、カメラ１０の各種操作メニューから図９に示すように、ＬＣＤ１８に画像表示領域選択機能メニュー３２を表示させる。この画像表示領域選択機能メニュー３２の「自動」「手動」及び「ＯＦＦ」のアイコンを選択することで設定させるようにする。
【００４１】
これにより、カメラ１０に設ける撮像操作に必要なボタン類１９を最小化できるために、カメラ１０の背面の全面に画像表示面３１の大きいＬＣＤ１８とタッチパネル２０が配置できることからＬＣＤ１８に表示される撮像画像の視認性が向上でき、また、このＬＣＤ１の画像表示面３１に指が接触した際には、画像表示領域３１ａ〜３１ｄに変更させることで表示画像の全体を視認できる。また、ＬＣＤ１８の画像表示面３１に画像表示領域と共にカメラ１０の操作アイコンを表示させることによりカメラ１０の利便性が向上する。
【００４２】
以上本発明の画像表示装置の実施形態の説明は、デジタルカメラを例にしたが、静止画像、あるいは動画像を表示する液晶表示パネルを有する携帯情報端末装置（ＰＤＡ）、及び携帯型画像ビューワ等にも適用できる。
【図面の簡単な説明】
【００４３】
【図１】本発明に係る画像表示装置の一実施形態であるデジタルカメラの構成を示すブロック図。
【図２】本発明のデジタルカメラの背面を説明する説明図。
【図３】本発明のデジタルカメラの背面の液晶表示パネルの画像表示領域の設定を説明する説明図。
【図４】本発明のデジタルカメラの液晶表示パネルに指が触れた際の位置検出動作を説明するフローチャート。
【図５】本発明のデジタルカメラの液晶表示パネルに指が触れた際の位置検出により画像表示領域の設定動作を説明するフローチャート。
【図６】本発明のデジタルカメラの液晶表示パネルの画像表示領域の手動設定を説明する説明図。
【図７】本発明のデジタルカメラの液晶表示パネルの画像表示領域の設定位置を説明する説明図。
【図８】本発明のデジタルカメラの液晶表示パネルに表示される画像表示領域以外の領域にアイコンを表示する例を説明する説明図。
【図９】本発明のデジタルカメラの液晶表示パネルに表示される画像表示領域選択機能メニューを説明する説明図。
【図１０】従来のデジタルカメラの背面に設けられる液晶表示パネルを説明する説明図。
【図１１】従来のデジタルカメラの液晶表示パネルの課題を説明する説明図。
【符号の説明】
【００４４】
１０  デジタルカメラ、１１  固体撮像素子、１２  前処理部、１３  アナログ／デジタル変換器（Ａ／Ｄ変換器）、１４  処理部、１５  メモリー、１６  マイコン、１７  メディア、１８  液晶表示パネル（ＬＣＤ）、１９  ボタン類、２０  タッチパネル。
代理人  弁理士  伊藤  進
【図１】
2005234993.tif 000003
【図２】
2005234993.tif 000004
【図３】
2005234993.tif 000005
【図４】
2005234993.tif 000006
【図５】
2005234993.tif 000007
【図６】
2005234993.tif 000008
【図７】
2005234993.tif 000009
【図８】
2005234993.tif 000010
【図９】
2005234993.tif 000011
【図１０】
2005234993.tif 000012
【図１１】
2005234993.tif 000013